(57)【特許請求の範囲】
【請求項１】
超弾性力を持つ棒状の形状記憶合金の端にかき出し部と、他端に払い出し部を備え、かき出し部の清掃の為、付着した耳あかを取る時には、棒状の形状記憶合金を曲げ、払い出し部でかき出し部に付着した耳あかを取り、その後は超弾性力により耳かきが元の形状に戻ることできることを特徴とする超弾性耳かき。
【発明の詳細な説明】
【技術分野】
【０００１】
本発明は、耳の穴を掃除する時に用いる超弾性耳かきに関する。
【背景技術】
【０００２】
従来の耳かきには、ブラシ付き耳かきであってブラシが本体の内部に挿入できる構成となっていることを特徴とする耳かきがある（例えば、特許文献１参照。）。
【０００３】
また、棒状の支持棒の先端に略半球状をなす半球状部および該半球状部と同軸で略同径の截頭円錐部とを２段に形成した耳掻き部と、一端に該耳掻き部の支持棒を装着するとともに他端に耳掻き部に付着した耳垢を掃除するための刷毛体を収納可能にした筒状の握り柄と、前記筒状の握り柄の他端側に装填する前記刷毛体の基端を支持したキャップとを備えたことを特徴とする耳かきがある（例えば、特許文献２参照。）。
【０００４】
以下、従来の特許文献について説明する。特許文献１の耳かきでは、耳かき本体と、該耳かき本体に設けられたかき取り部に付着した耳かすを、取り除くためのブラシ部材とから成り、ブラシが本体の内部に挿入できる構成となっているので、かき出し部であるかき取り部とブラシは別体である必要がある。
【０００５】
特許文献２の耳かきでは、一端に該耳掻き部の支持棒を装着するとともに他端に耳掻き部に付着した耳垢を掃除するための刷毛体を収納可能にした筒状の握り柄を持ち、刷毛筒状の握り柄に耳掻き部に付着した耳垢を掃除するための刷毛体であるブラシを収納可能にしているので、かき出し部である耳かき部とブラシは別体である必要がある。
【先行技術文献】
【特許文献】
【０００６】
【特許文献１】特開２０００−２３７０８６号公報（課題）
【特許文献２】実登３１１４０２０号公報（請求項１）
【発明の概要】
【発明が解決しようとする課題】
【０００７】
解決しようとする問題点は、特許文献１ではかき出し部とブラシが別体であり、ブラシが本体の内部に挿入されているので、かき出し部を清掃するためのブラシを取り出す時に労力を要すること。
【０００８】
特許文献２では、かき出し部とブラシが別体であり、ブラシが収納部である筒状の握り柄に収納してあるので、かき出し部を清掃するためのブラシを取り出す時に労力を要する点である。
【課題を解決するための手段】
【０００９】
本発明は、超弾性力を持つ棒状の形状記憶合金の端に、へら型、円盤型、コイル型、ループ型等の耳あかをかき出すかき出し部と、他端に耳かきの仕上げに耳に差し込んで軽く拭うなどして用いられる、ブラシや梵天の払い出し部を備え、かき出し部の清掃の為、付着した耳あかを取る時には棒状の形状記憶合金を曲げて払い出し部でかき出し部に付着した耳あかを取り、その後は超弾性力により耳かきの形状が元に戻ることを最も主要な特徴とする。
【発明の効果】
【００１０】
本発明の超弾性耳かきは、超弾性力を持つ棒状の形状記憶合金の端にかき出し部と、他端に払い出し部を備え、かき出し部の清掃の為、付着した耳あかを取る時には、棒状の形状記憶合金を曲げ、払い出し部でかき出し部に付着した耳あかを取り、その後は超弾性力により耳かきの形状が元に戻るので、払い出し用のブラシや梵天を別体の中に用意する必要がないという利点がある。
【図面の簡単な説明】
【００１１】
【図１】図１は本体の棒を曲げ、払い出し部でループ型かき出し部に付着した耳あかを取っている例の斜視図である。
【図２】図２は本体の棒を曲げ、払い出し部で円盤型かき出し部に付着した耳あかを取っている例の斜視図である。
【図３】図３は各種ある耳かき内の三例であり、Ａはかき出し部がループ型かき出し部、払い出し部がブラシであり、同様にＢは円盤型かき出し部とブラシ、Ｃはへら型かき出し部と梵天とした例の正面図である。
【図４】図４は棒に指で握り易いサイズの被覆部を設け、耳かきを握り易くした例の正面図である。
【発明を実施するための形態】
【００１２】
かき出し部と払い出し部を備える耳かきであって、かき出し部と払い出し部が別体で、かき出し部を清掃するための払い出し部が収納部に収納してあるものなどにおいて、払い出し部を取り出す時に労力を要するという事を防ぐ目的を、超弾性力を持つ棒状の形状記憶合金の端にかき出し部と、他端に払い出し部を備え、かき出し部の清掃の為、付着した耳あかを取る時には、棒状の形状記憶合金を曲げ、払い出し部でかき出し部に付着した耳あかを取り、その後は超弾性力により耳かきの形状が元に戻るので、払い出し用のブラシや梵天を別体の中に用意する必要がないので、余分な労力を要することなくかき出し部の清掃が出来る事で実現した。
【００１３】
以下に本発明の実施形態を、図面を参照しながら具体的に説明するがこの実施形態に限定されるものではない。図１は、本体１の棒１１を曲げ、払い出し部３でループ型かき出し部２１に付着した耳あかを取っている例の斜視図であって、払い出し部３をイ方向に前後すると、ブラシ３１の動きによりループ型かき出し部２１の清掃が出来る。
【００１４】
図２は、本体１の棒１１を曲げ、払い出し部３で円盤型かき出し部２２に付着した耳あかを取っている例の斜視図であって、払い出し部３をイ及びロ方向に前後左右すると、ブラシ３１の動きにより円盤型かき出し部２２の清掃が出来る。
【００１５】
図３は、各種ある耳かきの内の三例であり、Ａはかき出し部２がループ型かき出し部２１、払い出し部３がブラシ３１であり、同様にＢは円盤型かき出し部２２とブラシ３１、Ｃはへら型かき出し部２３と梵天３２とした例の正面図であって、これらの例以外にも様々な形態の耳かきが世に出回っている。
【００１６】
図４は、棒１１に指で握り易いサイズの被覆部１２を設け、耳かきを握り易くした例の正面図であって、柔軟性のある被覆材、例えばゴムまたはポリエチレンやポリ塩化ビニルで被覆部１２を形成し、棒１１の曲げ伸ばしに合わせ、被覆部１２も同様の曲げ伸ばしが可能である。
【００１７】
このようにして作成された超弾性耳かきは、超弾性力を持つ棒状の形状記憶合金の端にかき出し部２と、他端に払い出し部３を備え、かき出し部２の清掃の為、付着した耳あかを取る時には、棒状の形状記憶合金を曲げ、払い出し部３でかき出し部２に付着した耳あかを取り、その後は超弾性力により耳かきの形状が元に戻ることが出来るので、従来のブラシ３１でかき出し部２を清掃する耳かきにおいて、かき出し部２とブラシ３１が別体であり、ブラシ３１が本体１の内部に挿入されているものとか、ブラシ３１が収納部である筒状の握り柄に収納してあるものなどが、ブラシ３１を取り出す時に労力を要するという問題点を解消できる。
【符号の説明】
【００１８】
１    本体
１１  棒
１２  被覆部
２    かき出し部
２１  ループ型かき出し部
２２  円盤型かき出し部
２３  へら型かき出し部
３    払い出し部
３１  ブラシ
３２  梵天
４    手
【要約】
【課題】従来のブラシでかき出し部を清掃する耳かきには、かき出し部とブラシが別体であり、ブラシが本体の内部に挿入されているものとか、ブラシが収納部である筒状の握り柄に収納してあるものなどがあり、ブラシを取り出す時に労力を要するという問題があった。余分な労力を要することのない耳かきを提供する。
【解決手段】超弾性力を持つ棒状の形状記憶合金の端にかき出し部２と、他端に払い出し部３を備え、かき出し部２の清掃の為、付着した耳あかを取る時には、棒状の形状記憶合金を曲げ、払い出し部３でかき出し部２に付着した耳あかを取り、その後は余分な労力を要することなく、超弾性力により耳かきの形状が元に戻ることが出来る。
【選択図】図１【図１】
0005992124.tif 000002
【図２】
0005992124.tif 000003
【図３】
0005992124.tif 000004
【図４】
0005992124.tif 000005